(57)【要約】【課題】異常搬送状態になる原因が非分離搬送モードに設定されていることを通知できるようにする。【解決手段】シート束から１枚ずつシートを分離給送する給送手段と、給送手段を非分離給送に切り替える切替手段と、給送手段から給送されるシートを搬送路に沿って搬送する搬送手段と、搬送手段によって搬送されるシートの重送を検知する重送検知手段と、重送検知手段の重送検知結果を通知する通知手段と、を備え、通知手段は、重送検知結果に基づいて給送手段が非分離給送であるか否かを通知する。【選択図】図６
2019099298.tif 000002
【特許請求の範囲】
【請求項１】
シート束から１枚ずつシートを分離給送する給送手段と、
前記給送手段を分離給送及び非分離給送のいずれか一方に切り替える切替手段と、
前記給送手段によって給送されるシートを搬送する搬送手段と、
前記搬送手段によって搬送されるシートの重送を検知する重送検知手段と、
前記重送検知手段の検知結果に基づいて、前記切替手段の切替状況を報知する報知手段と、
を備えたことを特徴とするシート搬送装置。
【請求項２】
前記報知手段は、外部装置に対して、前記給送手段が前記分離給送に切り替わっているか否かを確認するための分離切替確認通知を出力することを特徴とする請求項１記載のシート搬送装置。
【請求項３】
前記報知手段は、前記重送検知手段がシートの重送を複数回続けて検知した場合に、前記外部装置に対して前記分離切替確認通知を出力することを特徴とする請求項２に記載のシート搬送装置。
【請求項４】
前記重送検知手段がシートの重送検知に伴ってシートの搬送を停止した状態で、シートの重送検知後の次処理を操作する操作手段を有し、
前記給送手段が前記操作手段での前記次処理の操作に基づいてシートの給送を開始後に前記重送検知手段がシートの重送を複数回続けて検知した場合に前記報知手段が前記外部装置に対して前記分離切替確認通知を出力することを特徴とする請求項２に記載のシート搬送装置。
【請求項５】
前記切替手段の切替状況を表示する表示手段を備え、
前記報知手段は、前記重送検知手段がシートの重送を複数回続けて検知した場合に、前記給送手段が前記分離給送に切り替わっているか否かを確認するための分離切替確認通知を前記表示手段に出力することを特徴とする請求項１記載のシート搬送装置。
【請求項６】
前記切替手段の切替状況を表示する表示手段と、
前記重送検知手段がシートの重送検知に伴ってシートの搬送を停止した状態で、シートの重送検知後の次処理を操作する操作手段と、を備え、
前記給送手段が前記操作手段での前記次処理の操作に基づいてシートの給送を開始後に前記重送検知手段がシートの重送を複数回続けて検知した場合に、前記給送手段が前記分離給送に切り替わっているか否かを確認するための分離切替確認通知を前記表示手段に出力することを特徴とする請求項１に記載のシート搬送装置。
【請求項７】
シート束から１枚ずつシートを分離給送する給送手段と、
前記給送手段を非分離給送に切り替える切替手段と、
前記給送手段から給送されるシートを搬送路に沿って搬送する搬送手段と、
前記搬送手段によって搬送されるシートの重送を検知する重送検知手段と、
前記重送検知手段の重送検知結果を報知する報知手段と、を備え、
前記報知手段は、前記重送検知結果に基づいて前記給送手段が前記非分離給送であるか否かを報知することを特徴とするシート搬送装置。
【請求項８】
請求項１乃至７のいずれか１項に記載のシート搬送装置を備えたことを特徴とする画像読取装置。
【発明の詳細な説明】
【技術分野】
【０００１】
本発明は、シートを搬送するシート搬送装置、及びこのシート搬送装置を備えてシートの画像を読み取る画像読取装置に関する。
【背景技術】
【０００２】
従来、シート給送装置には、シート載置台上に載置されたシートを１枚ずつ搬送路へ分離給送する分離給送機能と、分離給送できないシートを搬送するために分離機能を停止させて搬送する非分離給送機能とを備え、２つの機能を手動で切り替え可能としたものが知られている（特許文献１）。
【０００３】
このような従来のシート給送装置では、分離給送と非分離給送との切り替えにおいて、給送するシートの種類によってその都度、操作者が判断して行っている。つまり、普通のシートの場合には、分離給送を使用して１枚ずつ分離しながら給送させ、分離給送を使用すると破損のおそれがあるシートの場合は、例えば、キャリアシート等に入れてシート載置台に置き、非分離給送に切り替えて使用する。
【先行技術文献】
【特許文献】
【０００４】
【特許文献１】特開平１１−２６３４６４号公報
【発明の概要】
【発明が解決しようとする課題】
【０００５】
しかしながら、従来のシート搬送装置では、あるユーザが非分離給送に切り替えて使用後に分離給送に戻し忘れ、そのまま別のユーザが続けて使用すると、シートの重送が発生してしまい、シート搬送処理の作業効率が悪くなってしまう。
【０００６】
本発明は、シート搬送処理の作業効率を向上できるシート搬送装置及び画像読取装置を提供するものである。
【課題を解決するための手段】
【０００７】
本発明のシート搬送装置又は画像読取装置は、シート束から１枚ずつシートを分離給送する給送手段と、前記給送手段を分離給送及び非分離給送のいずれか一方に切り替える切替手段と、前記給送手段によって給送されるシートを搬送する搬送手段と、前記搬送手段によって搬送されるシートの重送を検知する重送検知手段と、前記重送検知手段の検知結果に基づいて、前記切替手段の切替状況を報知する報知手段と、を備えたことを特徴とする。
【発明の効果】
【０００８】
本発明によれば、シート搬送処理の作業効率を向上したシート搬送装置及び画像読取装置を実現することができる。
【図面の簡単な説明】
【０００９】
【図１】本発明の一実施形態に係る画像読取装置の概略図。
【図２】図１の画像読取装置の制御ユニットのブロック図。
【図３】第一実施形態を示したフローチャート図。
【図４】図１の画像読取装置の給送部の概略構造図。
【図５】本発明の一実施形態に係る非分離搬送モードなっていることを表示するメッセージ画面を示す図。
【図６】本発明の一実施形態に係るバッチ処理を示したフローチャート図。
【図７】第二実施形態を示したフローチャート図。
【発明を実施するための形態】
【００１０】
（実施形態１）
図１は本発明の一実施形態に係るシート搬送装置を備えた画像読取装置Ａの概略図である。
画像読取装置Ａは、載置台１に積載された一又は複数の搬送媒体Ｓを１つずつ装置内に経路（搬送路）ＲＴにて搬送してその画像を読み取り、排出トレイ２に排出する装置である。読み取る搬送媒体Ｓは、例えば、ＯＡ紙、チェック、小切手、カード類等のシートであり、厚手のシートであっても、薄手のシートであってもよい。カード類は、例えば、保険証、免許証、クレジットカード等を挙げることができる。
【００１１】
また、搬送媒体Ｓには、また、複数枚毎に束になった帳票や、半分に折り曲げた状態になった原稿も含まれる。後述する非分離搬送モードを用いることで複数枚毎に束になった帳票や、半分に折り曲げた状態になった原稿を載置台１に載置することで、原稿が分離されずに搬送され、その画像を読み取ることができる。
【００１２】
媒体検知センサ９０は、搬送媒体Ｓが載置台１に積載されていることを検知する搬送媒体検知手段である。すなわち、媒体検知センサ９０は、搬送媒体が搬送可能な状態にあるか否かを検知する検知手段の一例である。
【００１３】
第１搬送部１０は、経路ＲＴに沿って搬送媒体Ｓを給送する給送機構として、経路ＲＴの開口中央部に設けられている。この第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。
【００１４】
送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１５】
駆動部３と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１６】
送りローラ１１に対向配置される分離ローラ１２は、搬送媒体Ｓを１枚ずつ分離するためのローラ（回転体）であり、送りローラ１１に対して一定圧で圧接している。この圧接状態を確保するため、分離ローラ１２は揺動可能に設けると共に送りローラ１１へ付勢されるように構成される。また、分離ローラ１２は、トルクリミッタ１２ａを介して駆動部３から駆動力が伝達され、実線矢印方向（送りローラ１１の正方向とは逆方向）に回転駆動される。
【００１７】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１８】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
【００１９】
この分離機構については、操作者からの指示等に応じて、有効または無効に切り替えられるようになっていればよく、例えば、分離給送及び非分離給送の切替を行う切替構造を画像読取装置Ａに実装し、その切替のための指示は、画像読取装置Ａのユーザ操作に応じて行うようにしてもよいし、画像読取装置Ａに接続されたパソコン等の外部装置から画像読取装置Ａ（分離機構）に対して行うようにしてもよい。
【００２０】
第１搬送部１０の搬送方向下流側にある搬送機構（搬送手段）としての第２搬送部２０は、駆動ローラ２１と、駆動ローラ２１に従動する従動ローラ２２とを備え、第１搬送部１０から搬送されてきた搬送媒体Ｓをその下流側へ搬送する。
【００２１】
駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００２２】
このような第２搬送部３０よりも搬送方向下流側にある第３搬送部３０は、本実施形態では、第２搬送部２０と共に搬送手段を構成し、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は装置外へのシート排出機構としても機能する。
【００２３】
駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００２４】
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。
【００２５】
また、第２搬送部２０及び第３搬送部の搬送速度は、常に第１搬送部１０の搬送速度以上とすることで、先行搬送媒体Ｓに後続搬送媒体Ｓが追いついてしまう事態を回避している。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２６】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２７】
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。
【００２８】
重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００２９】
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。
【００３０】
媒体検出センサ５０としては、種々のものが利用可能であるが、本実施形態の場合には光学センサであり、発光部５１とその受光部５２とを備え、搬送媒体Ｓの到達又は通過より受光強度（受光量）が変化することを原理として搬送媒体Ｓを検出する。
【００３１】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。
【００３２】
なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００３３】
媒体検出センサ５０とは別の媒体検出センサ６０は画像読取ユニット７０よりも上流側で、第２搬送部２０よりも下流側に配置された下流側の検出センサとしての一例であり、第２搬送部２０により搬送される搬送媒体Ｓの位置を検出する。
【００３４】
なお、媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００３５】
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。
【００３６】
本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００３７】
また、搬送媒体Ｓが排紙されるに十分な所定時間を過ぎても画像読取ユニット７０が原稿を検知している場合、紙詰まり等が発生したと判断してもよい。
【００３８】
図４は、図１における給紙装置１００の駆動部分の概略構造を示す図である。図４において、ギヤ群１２４は、駆動部３の駆動を伝えるためのギヤ群である。駆動ギヤ１２５は、ギヤ群１２４につながり、ワンウェイクラッチ１２８を介して送りローラ１１の軸５ａに連結され、送りローラ１１を駆動する。
【００３９】
駆動ギヤ１２５の回転力は、さらにギヤ１２６および駆動ギヤ１２７によって分離ローラ１２の軸１１６ａに伝達される。この結果、分離ローラ１２の内部に装着されたトルクリミッタ１２ａを介して、分離ローラ１２は駆動される。そして、送りローラ１１はシート搬送方向に回転する一方、分離ローラ１２はシート搬送方向とは逆方向に回転するように駆動される。
【００４０】
分離ローラ１２は、搬送媒体Ｓがない状態もしくは送りローラ１１と分離ローラ１２との間で１枚の搬送媒体Ｓを搬送している状態では、トルクリミッタ１２ａによりシート搬送方向に追従回転（連れ回り）する。
【００４１】
そして、複数枚の搬送媒体Ｓが、送りローラ１１と分離ローラ１２との間に送り込まれた場合、分離ローラ１２がシート搬送方向とは逆の方向に回転することで、搬送媒体Ｓを１枚ずつ分離搬送することを可能としている。
【００４２】
ギヤ１２６は、不図示のレバーや電磁クラッチ９１によって、駆動ギヤ１２５の回転力を駆動ギヤ１２７に伝達させないような位置に移動可能に構成されている。この駆動ギヤ１２５の回転力を駆動ギヤ１２７に伝達させないことで、分離ローラ１２は駆動力を持たない状態となる。
【００４３】
そして、送りローラ１１と分離ローラ１２との間で搬送媒体Ｓを搬送している状態では、分離ローラ１２は搬送媒体Ｓの動作に追従回転するようになり、搬送媒体Ｓは分離されることなく搬送される。これを非分離給送機能（又は非分離給送）とよぶ。この非分離搬送機能は、例えば、２枚のシートを張り合わせたものやクリアファイルなどにシートを入れたもの、半折されたシートなどを搬送するのに適している。
【００４４】
図２を参照して制御部８について説明する。図２は画像読取装置Ａの制御部８のブロック図である。
【００４５】
制御部８はＣＰＵ８１、記憶部８２、操作部８３、通信部８４及びインターフェース部８６を備える。ＣＰＵ８１は記憶部８２に記憶されたプログラムを実行することにより、画像読取装置Ａ全体の制御を行う。記憶部８２は例えばＲＡＭ、ＲＯＭ等から構成される。ユーザが操作する操作手段となる操作部８３は、例えば、スイッチやタッチパネル等で構成され、操作者からの操作を受け付ける。
【００４６】
例えば、スイッチには非分離搬送モード切り替えスイッチが含まれる。すなわち、スイッチは、ユーザが分離給送と非分離給送とを手動で切り替える切替手段を構成する。非分離搬送モードでは、駆動部３からの連結を切るか、駆動部３への電力供給を停止させ、分離ローラ１２を空転させるようにし、送りローラ１１の回転によって分離ローラ１２は従動さるようにする。
【００４７】
このようにスイッチを使って非分離給送に切り替えられると、分離ローラ１２は、搬送方向に従動ないしは搬送方向に回転することになる。この場合は、分離ローラ１２は、分離手段としてではなく、原稿を給送する給送手段の役割を果たすことになる。シートを綴られたまま分離せずに給送する（分離力をシートに伝達しない非分離モード）。
【００４８】
また、駆動部３から分離ローラ１２までの連結は、電磁クラッチ９１で切断できるようにしてもよいし、分離給送と非分離給送とを切り替える切替手段として切り替えレバーを設け、ユーザによって手動で切り替えるようにしてもよい。この非分離搬送モードは、例えば半折りシートや複数枚糊付けされた伝票などを分離せずに搬送したいときに使用する。
【００４９】
なお、分離機構は、上述した分離ローラ１２の代わりに、原稿に押付けられることで原稿の分離を実現する分離パッドなどの単なる摩擦部材であってもよい。なお、分離ローラ１２が分離パッドであった場合、非分離搬送モードでは、分離パッドが原稿に与える押付け圧を弱くするか押付け圧を無くするための機構が動作することが望ましい。例えば、分離パッドを分離位置から退避させる機構の如くである。
【００５０】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。もちろん、外部装置は、ＰＣだけに限定されず、スマートフォンなどのモバイル端末でもよい。
【００５１】
インターフェース部８６はアクチュエータ８５やセンサ８７とのデータの入出力を行うＩ／Ｏインターフェースである。アクチュエータ８５には、駆動部３、駆動部４、伝達部５、電磁クラッチ９１等が含まれる。センサ８７には、重送検出センサ４０、媒体検出センサ５０及び６０、画像読取ユニット７０等が含まれる。
【００５２】
画像読取装置Ａの基本的な動作について説明する。制御部８は、例えば画像読取装置Ａが接続された外部パソコンから画像読み取りの開始指示を受信すると、第１乃至第３搬送部１０乃至３０の駆動を開始する。載置台１に積載された搬送媒体Ｓはその最も下に位置する搬送媒体Ｓから１つずつ搬送される。
【００５３】
搬送の途中で搬送媒体Ｓは重送検出センサ４０により重送の有無が判定され、重送が無いと判定されると搬送が継続される。なお、搬送媒体Ｓの重送があると判定された場合には、即座に搬送を停止するか、第１搬送部１０による後続搬送媒体Ｓの取り込みを停止して、重送状態にある搬送媒体Ｓをそのまま排出するようにしてもよい。あるいは、重送状態にある搬送媒体Ｓの搬送を即座に停止せず、排紙口まで搬送後に装置外へ完全排出せずに排出口で留まるように搬送停止するようにしてもよい。
【００５４】
制御部８は、媒体検出センサ６０の検出結果に基づくタイミングで、第２搬送部２０により搬送されてきた搬送媒体Ｓの、画像読取ユニット７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００５５】
また、制御部８は、重送検知センサ４０によって搬送媒体Ｓの重送を検知した旨の信号を受けると、本実施形態では、その重送検知信号を受けた重送回数をカウントし、詳細は後述するが、重送回数が所定の条件を満たした場合に、画像読取装置Ａが有する操作部８３又は、この画像読取装置Ａが接続された外部装置に対して、分離給送と非分離給送との切替状況を報知する。すなわち、本実施形態の制御部８は、重送検知結果に基づいて、第１搬送部１０での分離／非分離の切替状況を報知する報知手段となる。
【００５６】
画像読取装置Ａの制御部８で実行される具体例について、図３のフローチャートに従って説明する。
【００５７】
ステップＳ２０１において、制御部８は、記憶部８２に保持する重送検出カウンターＮに０を入力し、重送検出カウンターをリセットする。
【００５８】
ステップＳ２０２において、制御部８は、画像読取装置Ａにセットされた搬送媒体Ｓの搬送が始まり、バッチ処理を開始する。ここでいうバッチとは束になった搬送媒体Ｓの一セットのことを指す。バッチ処理の詳細は図６のフローチャートに従って説明する。
【００５９】
ステップＳ３０３において、制御部８は、インターフェース部８６からの入力信号が、搬送された搬送媒体Ｓの異常搬送状態を示す信号かどうかを判定する。異常搬送状態であればステップＳ３０６に進み、異常搬送状態でなければステップＳ３０４に進む。
【００６０】
ステップＳ３０４で制御部８は、インターフェース部８６からの入力信号が、載置台１に搬送媒体Ｓが積載されていることを示す信号か否かを判定する。載置台１に搬送媒体Ｓが積載されていればステップＳ３１４に進み、載置台１に搬送媒体Ｓが積載されていなければ、バッチ処理を終了する。
【００６１】
ステップＳ３０６で制御部８は、インターフェース部８６からの入力信号が、重送検出センサ４０による重送エラーか否かを判定する。異常搬送状態が重送エラーであればステップＳ３０７に進み、異常搬送状態が重送以外のものであればステップＳ３１０に進む。例えば、重送以外の異常搬送状態とは、紙詰まりなどによる異常搬送状態がある。
【００６２】
ステップＳ３０７で制御部８は、インターフェース部８６からの入力信号が、搬送された搬送媒体Ｓが一枚も画像が読み取れていないかどうかを判定する。一枚も画像が読み取れていなければステップＳ３０８に進み、一枚でも画像が読み取れている場合にはステップＳ３１０に進む。
【００６３】
ステップＳ３０８で制御部８は、記憶部８２に保持する重送検出カウンターＮが所定回数Ｉ以上重送を繰り返したかＣＰＵ８１が判定する。重送検出カウンターＮが所定回数Ｉ以上重送をしている場合には、ステップＳ３１１に進み、重送検出カウンターＮが所定回数Ｉ以上重送されていない場合にはステップＳ３０９に進む。なお、ＣＰＵ８１は、重送検出（検知）の回数をカウントしつつ、所定回数Ｉ（所定の判定条件）以上になったか否かを判断する判断手段を構成する。
【００６４】
ここで、所定回数Ｉは記憶部８２に保持する定数である。非分離搬送モードに切り替えて使う頻度や、重送が発生しやすい搬送媒体Ｓなのか否かなど、搬送媒体Ｓの種類を考慮し、操作者やサービスマンが所定回数Ｉの値を設定してもよいし、あらかじめ出荷時に設定されていてもよい。
【００６５】
例えば、画像読取装置Ａを複数の操作者が共有で利用する場合、多くの操作者は搬送媒体Ｓの種類が重送の発生しにくいＯＡ紙を分離搬送し、一人のユーザは頻繁に、半折原稿を搬送するため、非分離搬送モードを設定し、利用する操作者だったとする。
【００６６】
この場合は、搬送媒体Ｓによる重送はおこりにくく、非分離モードの設定が原因で異常搬送になることが多いと推測されるので、所定回数Ｉを１などと判定条件を設定してもよい。このように、非分離モードの切り替え頻度や搬送媒体Ｓの種類により柔軟な設定ができる。なお、判定条件の設定は、画像読取装置Ａが有する操作部８３で行えるようにしてもよいし、外部装置であるＰＣ側において画像読取装置Ａの制御アプリケーションを通じて行えるようにしてもよい。
【００６７】
ステップＳ３０９において、制御部８は、記憶部８２に保持する重送検出カウンターＮに１を加える。ステップＳ３１０において、制御部８は、搬送媒体Ｓの搬送停止信号をインターフェース部８６に送り、操作部８３に、異常搬送状態が検知されたことを表示するメッセージまたはマークを表示する。
【００６８】
ステップＳ３１１で制御部８は、操作部８３、または通信部８４に接続された外部装置に、非分離搬送モードなっていることを表示するメッセージまたはマーク等を分離切替確認通知として表示する。したがって、この場合には、制御部８は、分離給送ではなく非分離給送となっていることをユーザに知らせるための報知手段となる。また、分離切替確認通知としては、操作部８３において光源の点滅表示で行うようにしてもよいし、ブザーやメロディなどの音源を使ってユーザに知らせるようにしてもよい。
【００６９】
ここで、図５を参照して、非分離搬送モードなっていることを表示するメッセージについて説明する。図５は、非分離搬送モードなっていることを表示するメッセージ画面の一例を示す図である。
【００７０】
図５に示すダイアログ２００は、非分離搬送モードなっていることを操作者に通知するメッセージとアイコンを有している。このようなダイアログ２００は、操作部８３に表示してもよいし、通信部８４に接続されたＰＣ等の外部機器からの制御形態であれば外部機器の表示画面（実際にはディスプレイ等）に表示して注意を促してもよい。
【００７１】
ステップＳ３１２で制御部８は、操作者により異常搬送状態から復帰され再び搬送できる状態になる。
【００７２】
ステップＳ３１３で制御部８は、操作部８３からの入力信号がバッチ処理の継続を指示する信号かどうかを判定する。バッチ処理終了であればステップＳ３０５に進み、バッチ処理を継続する場合はステップＳ３１４に進む。
【００７３】
ステップＳ３１４で制御部８は、バッチ処理の継続信号をインターフェース部８６に送り、搬送媒体Ｓの搬送を始める。
【００７４】
このように、本実施形態では、ユーザが非分離給送の状態になっていることに気付かず、数回、連続して重送エラーが発生してしまうような場合、非分離モードに設定されているかもしれないことをユーザに通知できるようになる。その結果、ユーザが非分離モードに設定されていることに気づくことができ、シート搬送処理の業務効率の低下を防ぐことが可能となる。
【００７５】
また、本実施形態では、重送の発生頻度に応じて非分離給送となっている可能性をユーザに報知する構成であるので、分離給送と非分離給送の切替状況を検知するセンサの実装も不要となり、画像読取装置Ａの低コスト化を図れる。
【００７６】
（実施形態２）
実施形態２では、前回のバッチ処理で重送エラーが発生し、且つ、一枚も画像が読み取れなかった状態でバッチ処理を終了したことを検出する手段を設け、次回、バッチ処理実行前に、非分離搬送モードを分離搬送モードに切り替えるよう通知を行う実施形態である。
【００７７】
図７は、実施形態２を示したフローチャートである。なお、本実施形態では、上述の実施形態１と同一処理には同一符号を付して重複する説明は省略する。
【００７８】
ステップＳ４０１で制御部８は、記憶部８２に保持する重送検出カウンターＮが所定回数Ｊ以上重送を繰り返したかどうかをＣＰＵ８１が判定する。重送検出カウンターＮが所定回数Ｊ以上重送をしている場合には、ステップＳ３１１に進み、重送検出カウンターＮが所定回数Ｊ以上重送されていない場合には、ステップＳ２０１に進む。
【００７９】
ここで、所定回数Ｊは記憶部８２に保持する定数である。所定回数Ｊは所定回数Ｎと同様に非分離搬送モードに切り替えて使う頻度などをもとに操作者やサービスマンが所定回数Ｊの値を設定してもよいし、あらかじめ出荷時に設定されていてもよい。
【００８０】
このように、本実施形態ではバッチ処理中に重送エラーが発生し、且つ、一枚も画像が読み取れなかった状態でバッチ処理を終了した場合に、次回、バッチ処理実行時に非分離モードに設定されているかもしれないことを事前に操作者に通知できるようになる。その結果、操作者が非分離モードに設定されていることにバッチ処理を開始する前に気づくことができ、業務効率の低下を防ぐことが可能となる。
【００８１】
（他の実施形態）
以上、本発明を実施形態１及び２に基づいて詳細に説明したが、本発明は上述した実施形態１及び２に限定されず、例えば、下記のような構成を特徴としてもよい。
【００８２】
本発明の他の態様は、上述した実施形態１と同様の共通構成（シート束から１枚ずつシートを分離給送する給送手段と、給送手段を分離給送及び非分離給送のいずれか一方に切り替える切替手段と、給送手段によって給送されるシートを搬送する搬送手段と、搬送手段によって搬送されるシートの重送を検知する重送検知手段と、重送検知手段の検知結果に基づいて、切替手段の切替状況を報知する報知手段）を備え、更に追加構成として、次の（１）乃至（３）の少なくとも何れかの構成を有するようにしてもよい。
【００８３】
（１）報知手段は、外部装置に対して、給送手段が分離給送に切り替わっているか否かを確認するための分離切替確認通知を出力する。この場合、報知手段は、重送検知手段がシートの重送を複数回続けて検知した場合に、外部装置に対して分離切替確認通知を出力するようにしてもよい。
【００８４】
このような（１）の追加構成によれば、複数回、シートの重送となってしまった場合、前のユーザが非分離給送へ切り替えて戻さず、そのまま非分離給送の可能性があるため、そのことを早期にユーザに知らせることができる。
【００８５】
（２）重送検知手段がシートの重送検知に伴ってシートの搬送を停止した状態で、シートの重送検知後の次処理を操作する操作手段を有する。この場合、給送手段が操作手段での次処理の操作に基づいてシートの給送を開始後に重送検知手段がシートの重送を複数回続けて検知した場合に報知手段が外部装置に対して分離切替確認通知を出力するようにしてもよい。
【００８６】
このような（２）の追加構成によれば、シート重送が、例えば、シートに付着していた付箋（フセン）が原因で発生した場合、次処理として重送スキップ等の操作がされたときは、その次の重送検知からユーザへ分離切替確認通知を行うかどうかの判断を行うことができる。これにより、不要な分離切替確認通知を防ぐことができる。また、重送検知後の次処理としては、重送が発生したときに次の処理の選択項目（例えば、重送処理せずに継続（重送スキップ）、中止（キャンセル）等）を予め設定できるようにしておけば、重送発生時においてユーザの利便性を向上できる。また、重送検知の次処理として中止の選択項目の場合には、分離切替確認通知を行うかどうかの判断材料にすればよい。このような重送検知後の次処理を継続する機能が設定されている場合、そのような継続確認ステップは、例えば、図６にて当てはめると、ステップＳ３０７の代わりに実施し、中止の場合はステップＳ３０８に移行する。重送スキップの場合は、そのまま継続（ステップＳ３１４へ移行）し、原稿積載台上の原稿が残っているうちは次のスキャンを継続的に行うようにすればよい。
【００８７】
（３）切替手段の切替状況を表示する表示手段と、重送検知手段がシートの重送検知に伴ってシートの搬送を停止した状態で、シートの重送検知後の次処理を操作する操作手段と、を有する。この場合、給送手段が操作手段での次処理の操作に基づいてシートの給送を開始後に重送検知手段がシートの重送を複数回続けて検知した場合に、給送手段が分離給送に切り替わっているか否かを確認するための分離切替確認通知を表示手段に出力するようにしてもよい。
【００８８】
このような（３）の追加構成によれば、シートの重送がユーザにとって不本意に発生した場合において、画像読取装置が有する表示手段を通じて、ユーザが望まない非分離給送であったことをその場で直ぐに確認することができる。
【符号の説明】
【００８９】
Ａ  画像読取装置
Ｓ  搬送媒体
１  載置台
８  制御部
１０  搬送部
１１  送りローラ
１２  分離ローラ
２１  駆動ローラ
２２  従動ローラ
４０  重送検出センサ
８１  ＣＰＵ
８２  記憶部
８３  操作部
８５  アクチュエータ
８６  インターフェース部
８７  センサ
９０  搬送媒体検知センサ
１００  給送部
【図１】
2019099298.tif 000003
【図２】
2019099298.tif 000004
【図３】
2019099298.tif 000005
【図４】
2019099298.tif 000006
【図５】
2019099298.tif 000007
【図６】
2019099298.tif 000008
【図７】
2019099298.tif 000009